(57)【要約】【課題】液晶表示装置の寿命を高精度で予測することができる寿命予測システムの提供【解決手段】ＬＣＤパネルの寿命予測では、最大輝度（Ｌｍ）が、予め定められた限界輝度（Ｌｔ）に達しなくなることを寿命判断の基準としている。バックライトを制御するインバータ回路に対するＰＷＭ値と輝度相対値との間の関係式は、輝度相対値＝取得輝度（Ｌｓ）／最大輝度（Ｌｍ）＝ａ×ＰＷＭ値＋ｂなので、最大輝度（Ｌｍ）＝取得輝度（Ｌｓ）／（ａ×ＰＷＭ値＋ｂ）。得られた最大輝度（Ｌｍ）を用いて、レーマンの式：最大輝度（Ｌｍ）＝Ｌｍ（０）（ｅｘｐ（−√（ｔ／τ）））に基づいて、ＬＣＤパネル１３３のバックライト１１３の最大輝度が限界輝度（Ｌｔ）となるまでの使用時間である最大使用時間（Ｔｓ）を算出する。したがって、現在から最大使用時間（Ｔｓ）までの時間を示す余命時間は、余命時間＝Ｔｓ−Ｔ（ｎ）となる。【選択図】    図５
2007011246.tif 000002
【特許請求の範囲】
【請求項１】
液晶表示部に対して明るさを提供する照明部、
前記照明部の明るさを測定し、測定情報を生成する測定部、
前記測定情報に基づいて、前記照明部の明るさを所定の設定値に制御するための制御情報を生成する制御情報生成部、
前記制御情報に基づいて、前記照明部の明るさを前記設定値に制御する照明制御部、
前記制御情報に基づいて、現在において前記照明部が提供し得る明るさの最大値である最大明るさ情報を算出する最大値算出部、
前記最大明るさ情報に基づいて、前記照明部の寿命を予測する寿命予測部、
を有する液晶表示装置。
【請求項２】
互いにデータの送受信が可能なようにネットワークを介して接続された液晶表示装置および寿命予測装置を有する液晶表示装置の寿命予測システムにおいて、
前記液晶表示装置は、
液晶表示部に対して明るさを提供する照明部、
前記照明部の明るさを測定し、測定情報を生成する測定部、
前記測定情報に基づいて、前記照明部の明るさを所定の設定値に制御するための制御情報を生成する制御情報生成部、
前記制御情報に基づいて、前記照明部の明るさを前記設定値に制御する照明制御部、
前記制御情報を提供する提供部、
を有し、
前記寿命予測装置は、
前記制御情報を獲得する獲得部、
獲得した制御情報に基づいて、現在において前記照明部が提供し得る明るさの最大値である最大明るさ情報を算出する最大値算出部、
前記最大明るさ情報に基づいて、前記照明部の寿命を予測する寿命予測部、
を有する寿命予測システム。
【請求項３】
請求項１に係る液晶表示装置または請求項２にかかる寿命予測システムのいずれかにおいて、
前記最大値算出部は、
前記最大明るさ情報を算出するにあたって、前記制御情報と前記照明部の明るさとの間の線形性を利用すること、
を特徴とするもの。
【請求項４】
請求項３に係る液晶表示装置または寿命予測システムのいずれかにおいて、さらに、
前記制御情報の変化分に対する前記照明部の明るさの変化分の比である第１の補助情報および前記制御情報を０としたときの前記照明部の明るさの値である第２の補助情報を記憶する補助情報記憶部、
を有し、
前記最大値算出部は、
前記補助情報記憶部に記憶されている第１の補助情報及び第２の補助情報を用いて、前記最大値を算出すること、
を特徴とするもの。
【請求項５】
請求項１〜４に係る液晶表示装置または寿命予測システムのいずれかにおいて、
前記寿命予測部は、さらに、
前記照明部の寿命を予測するにあたって、前記測定情報も用いること、
を特徴とするもの。
【請求項６】
請求項１〜５に係る液晶表示装置または寿命予測システムのいずれかにおいて、
前記測定部は、
前記測定情報を生成するにあたって、前記液晶表示部を介した前記照明部の明るさを測定すること、
を特徴とするもの。
【請求項７】
請求項１〜５に係る液晶表示装置または寿命予測システムのいずれかにおいて、
前記測定部は、
前記測定情報を生成するにあたって、直接的に前記照明部の明るさを測定すること、
を特徴とするもの。
【請求項８】
請求項７に係る液晶表示装置または寿命予測システムのいずれかにおいて、
前記測定部は、
前記測定情報を生成するにあたって、直接的に測定した前記照明部の明るさに基づいて、前記液晶表示部を介した前記照明部の明るさを算出すること、
を特徴とするもの。
【請求項９】
請求項１〜請求項８に係る液晶表示装置または寿命予測システムのいずれかにおいて、
前記制御情報は、前記照明部が提供する明るさを制御するための電流値であること、
を特徴とするもの。
【請求項１０】
請求項１〜請求項８に係る液晶表示装置または寿命予測システムのいずれかにおいて、
前記制御情報は、前記照明部が提供する明るさを制御するための電圧値であること、
を特徴とするもの。
【請求項１１】
請求項１〜請求項１０に係る液晶表示装置または寿命予測システムのいずれかにおいて、さらに、
前記寿命予測の結果を表示するための寿命予測結果表示情報を生成する寿命予測結果表示部、
を有するもの。
【請求項１２】
液晶表示部に対して明るさを提供する照明部の寿命を予測する寿命予測プログラムであって、コンピュータに対して、
前記照明部の明るさを測定し、測定情報を生成させるステップ、
前記測定情報に基づいて、前記照明部の明るさを所定の設定値に制御するための制御情報を生成させるステップ、
前記制御情報に基づいて、前記照明部の明るさを前記設定値に制御させるステップ、
前記制御情報に基づいて、現在において前記照明部が提供し得る明るさの最大値である最大明るさ情報を算出させるステップ、
前記最大明るさ情報に基づいて、前記照明部の寿命を予測させるステップ、
を実行させる寿命予測プログラム。
【請求項１３】
互いにデータの送受信が可能なようにネットワークを介して接続された液晶表示装置であって、液晶表示部に対して明るさを提供する照明部、前記照明部の明るさを測定し、測定情報を生成する測定部、前記測定情報に基づいて、前記照明部の明るさを所定の設定値に制御するための制御情報を生成する制御情報生成部、前記制御情報に基づいて、前記照明部の明るさを前記設定値に制御する照明制御部を有する液晶表示装置の寿命を予測する寿命予測プログラムにおいて、コンピュータに対して、
前記制御情報を獲得させるステップ、
獲得した制御情報に基づいて、現在において前記照明部が提供し得る明るさの最大値である最大明るさ情報を算出させるステップ、
前記最大明るさ情報に基づいて、前記照明部の寿命を予測させるステップ、
を実行させる寿命予測プログラム。
【請求項１４】
液晶パネルに対して明るさを提供するバックライト、
前記バックライトの光量を測定し、測定情報を生成するフォトセンサ、
前記測定情報に基づいて、前記バックライトの輝度を所定の設定値に制御するためのＰＷＭ値を算出する輝度制御部、
前記ＰＷＭ値に基づいて、前記バックライトの明るさを前記設定値に制御するインバータ回路、
前記ＰＷＭ値の変化分に対する前記バックライトの明るさの変化分の比である傾き情報および前記ＰＷＭ値を０としたときの前記バックライトの明るさの値である切片情報を記憶する補助情報記憶部、
前記ＰＷＭ値、前記傾き情報および前記切片情報に基づいて、現在において前記バックライトが提供し得る明るさの最大値である最大明るさ情報を算出する最大値算出部、
前記測定情報および前記最大明るさ情報に基づいて、前記照明部の寿命を予測する寿命予測部、
を有する液晶表示装置。
【請求項１５】
互いにデータの送受信が可能なようにネットワークを介して接続された液晶表示装置および寿命予測装置を有する液晶表示装置に寿命予測システムにおいて、
前記液晶表示装置は、
液晶パネルに対して明るさを提供するバックライト、
前記バックライトの光量を測定し、測定情報を生成するフォトセンサ、
前記測定情報に基づいて、前記バックライトの輝度を所定の設定値に制御するためのＰＷＭ値を算出する輝度制御部、
前記ＰＷＭ値に基づいて、前記バックライトの明るさを前記設定値に制御するインバータ回路、
前記測定情報および前記ＰＷＭ値を提供する通信部、
を有し、
前記寿命予測装置は、
前記測定情報および前記ＰＷＭ値を獲得する獲得部、
前記ＰＷＭ値の変化分に対する前記バックライトの明るさの変化分の比である傾き情報および前記ＰＷＭ値を０としたときの前記バックライトの明るさの値である切片情報を記憶する補助情報記憶部、
前記ＰＷＭ値、前記傾き情報および前記切片情報に基づいて、現在において前記バックライトが提供し得る明るさの最大値である最大明るさ情報を算出する最大値算出部、
前記測定情報および前記最大明るさ情報に基づいて、前記照明部の寿命を予測する寿命予測部、
を有する液晶表示装置の寿命予測システム。
【請求項１６】
液晶表示部に対して明るさを提供する照明部の明るさを測定し、測定情報を生成し、生成した測定情報に基づいて、前記照明部の明るさを所定の設定値に制御するための制御情報を生成し、生成した制御情報に基づいて、前記照明部の明るさを前記設定値に制御する液晶表示装置の寿命予測方法であって、
前記制御情報に基づいて、現在において前記照明部が提供し得る明るさの最大値である最大明るさ情報を算出し、
前記最大明るさ情報に基づいて、前記照明部の寿命を予測すること、
を特徴とする液晶表示装置の寿命予測方法。
【請求項１７】
請求項１６に係る液晶表示装置の寿命予測方法において、さらに、
前記制御情報と前記照明部の明るさとの間の線形性を利用して、前記最大明るさ情報を算出すること、
を特徴とする液晶表示装置の寿命予測方法。
【発明の詳細な説明】
【技術分野】
【０００１】  本発明は、液晶表示装置であって、特に、液晶表示装置の寿命を予測するものに関する。
【背景技術】
【０００２】  光源ランプの寿命予測システムとしては、内視鏡装置におけるハロゲンランプの寿命を予測するランプ余命算出装置１００がある。ランプ余命算出装置１００は、ハロゲンランプに印加されるランプ電圧に基づいてハロゲンランプの残余使用可能期間に対応するランプ余命を算出するものである。【０００３】  具体的には、ランプ余命算出装置１００は、ハロゲンランプ交換時に、指標値Ｎを初期値に設定し、設定した指標値Ｎから、所定時間ΔＴ毎にランプ電圧に応じた所定値ΔＮを減算することによりランプ余命を算出する。なお、指標値Ｎからの所定値ΔＮの減算は、ハロゲンランプに電力が供給されている間、行われる。【０００４】
【特許文献１】特開２００３−１８０６３２
【発明の開示】
【発明が解決しようとする課題】
【０００５】  従来のランプ余命算出装置１００には、次のような問題点がある。ランプ余命算出装置１００では、所定値ΔＮはランプ電圧を考慮した値となっている。しかし、総寿命時間に対応する指標値Ｎから単位使用時間に対応する所定値ΔＮの累積値を減算することによって、余命時間を算出している。ランプ余命算出装置１００では、予め総寿命時間が設定されている。【０００６】  一方、ハロゲンランプ等の光源の本来の寿命の意は、当該光源が所定の輝度を発することをできなくなったときである。予め総寿命時間が設定されているものではない。【０００７】  つまり、予め設定されている総寿命時間自体が予測値であることから、その総寿命時間を元に算出された余命も予測値の域を出るものではない、という問題がある。【０００８】  また、所定値ΔＮは単位使用時間ΔＴ毎に減算されることから、時間的累積誤差が生ずる、という問題点もある。【０００９】  そこで、本発明では、液晶表示装置の寿命を高精度で予測することができる寿命予測システムの提供を目的とする。
【課題を解決するための手段】
【００１０】  本発明に関する課題を解決するための手段および発明の効果を以下に示す。【００１１】  本発明に係る液晶表示装置は、液晶表示部に対して明るさを提供する照明部、前記照明部の明るさを測定し、測定情報を生成する測定部、前記測定情報に基づいて、前記照明部の明るさを所定の設定値に制御するための制御情報を生成する制御情報生成部、前記制御情報に基づいて、前記照明部の明るさを前記設定値に制御する照明制御部、前記制御情報に基づいて、現在において前記照明部が提供し得る明るさの最大値である最大明るさ情報を算出する最大値算出部、前記最大明るさ情報に基づいて、前記照明部の寿命を予測する寿命予測部、を有する。【００１２】  これにより、現在において前記照明部が提供し得る明るさの最大値を実際に測定せずとも、照明部の寿命を予測することができる。つまり、正確な寿命を予測するためには、照明部の明るさを最大としなければならないが、照明部の明るさを最大として使用することによって照明部の寿命を縮めてしまうという矛盾を解消した正確な寿命予測が可能となる。【００１３】  また、一般的に、照明部の明るさを測定するためには、当該明るさが安定するまでの時間を要する。したがって、現在使用している明るさから最大の明るさまで変化させて、照明部の明るさの値を取得したとしても、正確な明るさの値を即時に取得ことはできない。一方、本発明に係る液晶表示装置では、現在の照明部の明るさを示す測定情報に基づいて、照明部が提供し得る明るさの最大値である最大明るさ情報を算出し、寿命の予測を行う。つまり、照明部の明るさを最大とする必要がないので、即時に寿命予測を実行することが可能となる。さらに、既に安定した現在の明るさに基づいて寿命の予測を行うので、正確な寿命予測が可能となる。【００１４】  さらに、前記照明部の明るさを所定の設定値に制御するための制御情報を利用するので、新たに照明部の明るさを取得する等の特別な操作をユーザに求める必要がない。つまり、ユーザに負担を感じさせることのない寿命の予測を行うことが可能となる。【００１５】  本発明に係る寿命予測システムは、互いにデータの送受信が可能なようにネットワークを介して接続された液晶表示装置および寿命予測装置を有する液晶表示装置の寿命予測システムにおいて、前記液晶表示装置は、液晶表示部に対して明るさを提供する照明部、
前記照明部の明るさを測定し、測定情報を生成する測定部、前記測定情報に基づいて、前記照明部の明るさを所定の設定値に制御するための制御情報を生成する制御情報生成部、前記制御情報に基づいて、前記照明部の明るさを前記設定値に制御する照明制御部、前記制御情報を提供する提供部有し、前記寿命予測装置は、前記制御情報を獲得する獲得部、獲得した制御情報に基づいて、現在において前記照明部が提供し得る明るさの最大値である最大明るさ情報を算出する最大値算出部、前記最大明るさ情報に基づいて、前記照明部の寿命を予測する寿命予測部を有する。【００１６】  これにより、液晶表示装置と寿命予測装置とがネットワークで接続されている場合においても、前述の矛盾を解消しつつ、正確な寿命予測が可能となる。【００１７】  本発明に係る液晶表示装置または寿命予測システムでは、前記最大値算出部は、前記最大明るさ情報を算出するにあたって、前記制御情報と前記照明部の明るさとの間の線形性を利用する。【００１８】  これにより、容易に照明部の最大明るさ情報を算出することができる。【００１９】  本発明に係る液晶表示装置または寿命予測システムでは、前記制御情報の変化分に対する前記照明部の明るさの変化分の比である第１の補助情報および前記制御情報を０としたときの前記照明部の明るさの値である第２の補助情報を記憶する補助情報記憶部を有し、前記最大値算出部は、前記補助情報記憶部に記憶されている第１の補助情報及び第２の補助情報を用いて、前記最大値を算出する。【００２０】  これにより、容易に照明部の最大明るさ情報を算出することができる。【００２１】  本発明に係る液晶表示装置または寿命予測システムでは、前記寿命予測部は、前記照明部の寿命を予測するにあたって、前記測定情報も用いる。【００２２】  これにより、現在の照明部が提供する明るさをも考慮した寿命予測が可能となる。【００２３】  本発明に係る液晶表示装置または寿命予測システムでは、前記測定部は、前記測定情報を生成するにあたって、前記液晶表示部を介した前記照明部の明るさを測定する。【００２４】  これにより、容易に取得することができる液晶表示部を介した明るさを用いるので、簡易な構成で寿命予測を行うことができる。【００２５】  本発明に係る液晶表示装置または寿命予測システムでは、前記測定部は、前記測定情報を生成するにあたって、直接的に前記照明部の明るさを測定する。【００２６】  これにより、液晶表示部の視認性を妨げることがなく直接的に照明部の明るさを取得することができるので、容易に寿命予測を行うことが可能となる。【００２７】  本発明に係る液晶表示装置または寿命予測システムでは、前記測定部は、前記測定情報を生成するにあたって、直接的に測定した前記照明部の明るさに基づいて、前記液晶表示部を介した前記照明部の明るさを算出する。【００２８】  これにより、液晶表示部を介した照明部の明るさを取得せずとも、直接的に照明部の明るさを測定することによって寿命予測を行うことができるので、容易に寿命予測を行うことができる。【００２９】  本発明に係る液晶表示装置または寿命予測システムでは、前記制御情報は、前記照明部が提供する明るさを制御するための電流値であ��。【００３０】  これにより、新たに寿命予測のための情報を取得する必要がないので、容易に寿命予測を行うことができる。【００３１】  本発明に係る液晶表示装置または寿命予測システムでは、前記制御情報は、前記照明部が提供する明るさを制御するための電圧値である。【００３２】  これにより、新たに寿命予測のための情報を取得する必要がないので、容易に寿命予測を行うことができる。【００３３】  本発明に係る液晶表示装置または寿命予測システムでは、前記寿命予測の結果を表示するための寿命予測結果表示情報を生成する寿命予測結果表示部を有する。【００３４】  これにより、ユーザは容易に寿命予測の結果を知ることができる。【００３５】  本発明に係る液晶表示装置は、液晶パネルに対して明るさを提供するバックライト、前記バックライトの光量を測定し、測定情報を生成するフォトセンサ、前記測定情報に基づいて、前記バックライトの輝度を所定の設定値に制御するためのＰＷＭ値を算出する輝度制御部、前記ＰＷＭ値に基づいて、前記バックライトの明るさを前記設定値に制御するインバータ回路、前記ＰＷＭ値の変化分に対する前記バックライトの明るさの変化分の比である傾き情報および前記ＰＷＭ値を０としたときの前記バックライトの明るさの値である切片情報を記憶する補助情報記憶部、前記ＰＷＭ値、前記傾き情報および前記切片情報に基づいて、現在において前記バックライトが提供し得る明るさの最大値である最大明るさ情報を算出する最大値算出部、前記測定情報および前記最大明るさ情報に基づいて、前記照明部の寿命を予測する寿命予測部を有する。【００３６】  これにより、ＰＷＭ値を用いて寿命予測を行うことができるので、簡易な構成で容易に寿命予測を行うことができる。【００３７】  本発明に係る液晶表示装置の寿命予測システムは、互いにデータの送受信が可能なようにネットワークを介して接続された液晶表示装置および寿命予測装置を有する液晶表示装置に寿命予測システムにおいて、前記液晶表示装置は、液晶パネルに対して明るさを提供するバックライト、前記バックライトの光量を測定し、測定情報を生成するフォトセンサ、前記測定情報に基づいて、前記バックライトの輝度を所定の設定値に制御するためのＰＷＭ値を算出する輝度制御部、前記ＰＷＭ値に基づいて、前記バックライトの明るさを前記設定値に制御するインバータ回路、前記測定情報および前記ＰＷＭ値を提供する通信部を有し、前記寿命予測装置は、前記測定情報および前記ＰＷＭ値を獲得する獲得部、前記ＰＷＭ値の変化分に対する前記バックライトの明るさの変化分の比である傾き情報および前記ＰＷＭ値を０としたときの前記バックライトの明るさの値である切片情報を記憶する補助情報記憶部、前記ＰＷＭ値、前記傾き情報および前記切片情報に基づいて、現在において前記バックライトが提供し得る明るさの最大値である最大明るさ情報を算出する最大値算出部、前記測定情報および前記最大明るさ情報に基づいて、前記照明部の寿命を予測する寿命予測部、を有する。【００３８】  これにより、液晶表示装置と寿命予測装置とがネットワークによって接続されている場合であっても、ＰＷＭ値を用いて寿命予測を行うことができるので、簡易な構成で��易に寿命予測を行うことができる。【００３９】  ここで、請求項に記載されている要素と実施例における要素との対応関係を示す。液晶表示装置の寿命予測システムは液晶表示装置の寿命予測システム１に、液晶表示装置はＬＣＤモニター１１に、寿命予測装置は寿命予測装置２１に、それぞれ対応する。【００４０】  液晶表示部はＬＣＤパネル１３３に、照明部はバックライト１１３に、測定部は光センサ１１５に、制御情報生成部はＣＰＵ１２１及びメモリ１２３に、照明制御部はＣＰＵ１２１及びインバータ回路１１１に、提供部はＣＰＵ１２１及びＵＳＢ回路１２９に、それぞれ対応する。【００４１】  獲得部はＵＳＢ回路２１８に、最大値算出部はＣＰＵ２１１及びメモリ２１２に、寿命予測部はＣＰＵ２１１及びメモリ２１２に、寿命予測結果表示部はＣＰＵ２１１及びメモリ２１２に、補助記憶部はハードディスク２１３に、それぞれ対応する。【００４２】  制御情報生成部はステップＳ２、Ｓ２０１〜Ｓ２１１の処理を実行する。【００４３】  また、最大値算出部はステップＳ１２、Ｓ１２０３〜Ｓ１２１７の処理を、寿命予測部はステップＳ１４、Ｓ１４０３〜Ｓ１４１３の処理を、寿命予測結果表示部はステップＳ１６、Ｓ１６０３〜Ｓ１６１３の処理を、それぞれ実行する。【００４４】  測定情報は光センサ１１５が取得する取得輝度（Ｌｓ）に、制御情報はＰＷＭ値に、最大明るさ情報は最大輝度（Ｌｍ）に、それぞれ対応する。【００４５】  第１の補助情報は傾き情報（ａ）に、第２の補助情報はＹ切片情報（ｂ）に、それぞれ対応する。
【発明を実施するための最良の形態】
【００４６】  本発明における液晶表示装置の実施例を以下において説明する。
【実施例１】
【００４７】１．概要
本発明に係る液晶表示装置の寿命予測システムの概要を図１に示す機能ブロック図を用いて説明す寿命予測システムＭ１では、液晶表示装置Ｍ１１及び寿命予測装置Ｍ２１が、互いにデータの送受信が可能なようにネットワークを介して接続されている。【００４８】  液晶表示装置Ｍ１１は、液晶表示部ｍ１０、照明部ｍ１１、測定部ｍ１３、制御情報生成部ｍ１５、照明制御部ｍ１７、及び提供部ｍ１９を有している。照明部ｍ１１は、液晶表示部ｍ１０に対して明るさを提供する。測定部ｍ１３は、照明部ｍ１１の明るさを測定し、測定情報を生成する。制御情報生成部ｍ１５は、測定情報に基づいて、照明部ｍ１１の明るさを所定の設定値に制御するための制御情報を生成する。照明制御部ｍ１７は、制御情報に基づいて、照明部ｍ１１の明るさを設定値に制御する。提供部ｍ１９は、制御情報を提供する。【００４９】  寿命予測装置Ｍ２１は、獲得部ｍ２１、最大値算出部ｍ２３、寿命予測部ｍ２５、寿命予測結果表示部ｍ２７、及び補助記憶部ｍ２９を有している。獲得部ｍ２１は、制御情報を獲得する。最大値算出部ｍ２３は、獲得した制御情報に基づいて、現在において照明部ｍ１１が提供し得る明るさの最大値である最大明るさ情報を算出する。寿命予測部ｍ２５は、最大明るさ情報に基づいて、照明部ｍ１１の寿命を予測する。寿命予測結果表示部ｍ２７は、寿命予測の結果を表示するための寿命予測結果表示情報を生成する。補助記憶部ｍ２９は、制御情報の変化分に対する照明部ｍ１１の明るさの変化分の比である第１の補助情報および制御情報を「０」としたときの照明部ｍ１１の明るさの値である第２の補助情報を記憶する。【００５０】  これにより、現在において前記照明部が提供し得る明るさの最大値を実際に測定せずとも、照明部の寿命を予測することができる。つまり、正確な寿命を予測するためには、照明部の明るさを最大としなければならないが、照明部の明るさを最大として使用することによって照明部の寿命を縮めてしまうという矛盾を解消した正確な寿命予測が可能となる。【００５１】  また、一般的に、照明部の明るさを測定するためには、当該明るさが安定するまでの時間を要する。したがって、現在使用している明るさから最大の明るさまで変化させて、照明部の明るさの値を取得したとしても、正確な明るさの値を即時に取得ことはできない。一方、本発明に係る液晶表示装置では、現在の照明部の明るさを示す測定情報に基づいて、照明部が提供し得る明るさの最大値である最大明るさ情報を算出し、寿命の予測を行う。つまり、照明部の明るさを最大とする必要がないので、即時に寿命予測を実行することが可能となる。さらに、既に安定した現在の明るさに基づいて寿命の予測を行うので、正確な寿命予測が可能となる。【００５２】  さらに、前記照明部の明るさを所定の設定値に制御するための制御情報を利用するので、新たに照明部の明るさを取得する等の特別な操作をユーザに求める必要がない。つまり、ユーザに負担を感じさせることのない寿命の予測を行うことが可能となる。【００５３】  さらに、液晶表示装置と寿命予測装置とがネットワークで接続されている場合においても、前述の矛盾を解消しつつ、正確な寿命予測が可能となる。【００５４】  さらに、容易に照明部の最大明るさ情報を算出することができる。【００５５】  さらに、容易に照明部の最大明るさ情報を算出することができる。【００５６】  さらに、現在の照明部が提供する明るさをも考慮した寿命予測が可能となる。【００５７】  さらに、容易に取得することができる液晶表示部を介した明るさを用いるので、簡易な構成で寿命予測を行うことができる。【００５８】  さらに、新たに寿命予測のための情報を取得する必要がないので、容易に寿命予測を行うことができる。【００５９】  さらに、ユーザは容易に寿命予測の結果を知ることができる。【００６０】  さらに、ＰＷＭ値を用いて寿命予測を行うことができるので、簡易な構成で容易に寿命予測を行うことができる。【００６１】  さらに、液晶表示装置と寿命予測装置とがネットワークによって接続されている場合であっても、ＰＷＭ値を用いて寿命予測を行うことができるので、簡易な構成で容易に寿命予測を行うことができる。【００６２】２．ハードウェア構成
本発明に液晶表示装置の寿命予測システム１のハードウェア構成を図２を用いて説明する。液晶表示装置寿命予測システム１は、ＬＣＤモニター１１及び寿命予測装置２１により構成されている。ここでは、寿命予測装置２１はパーソナルコンピュータである。【００６３】  また、ＬＣＤモニター１１と寿命予測装置２１とは、ＵＳＢによって互いにデータの送受信が可能となっている。以下において、ＬＣＤモニター１１及び寿命予測装置２１のハードウェア構成を説明する。【００６４】２．１．ＬＣＤモニター１１のハードウェア構成
ＬＣＤモニター１のハードウェア構成について図３を用いて説明する。ＬＣＤモニター１１は、インバータ回路１１１、バックライト１１３、光センサ１１５、ＣＰＵ１２１、メモリ１２３、バックライトオン・タイマー回路１２５、バックライトエージング・タイマー回路１２７、表示出力回路１３１、およびＬＣＤパネル１３３を有している。【００６５】  インバータ回路１１１は、ＰＷＭ値に基づいてバックライト１１３の明るさを所定の明るさに制御する。ＰＷＭ値とは、インバータ回路１１１を制御するための電流値をいう。バックライト１１３は、ＬＣＤパネル１３３に対して明るさを提供する。光センサ１１５は、ＬＣＤパネル１３３に対する外部センサとして設けられている。これにより、光センサ１１５は、ＬＣＤパネル１３３を介したバックライト１１３の明るさ（輝度）を測定し、取得輝度（Ｌｓ）を生成する。【００６６】  ＣＰＵ１２１は、メモリ１２３に記録されている輝度制御プログラム等その他のアプリケーションに基づいた処理を行う。ＣＰＵ１２１は、取得輝度（Ｌｓ）に基づいて、バックライト１１３の明るさをユーザが設定した目標輝度に制御するためのＰＷＭ値を生成する。【００６７】  メモリ１２３は、ＣＰＵ１２１に対して作業領域を提供する。また、メモリ１２３は、傾き情報（ａ）、Ｙ切片情報（ｂ）、及び使用時間（Ｔ）等を記憶している。なお、メモリ１２３に記憶しているデータについては後述する。【００６８】  バックライトオン・タイマー回路１２５は、設定された時から現在までの間にバックライト１１３が点灯された使用時間を計時する。本実施形態においては、設定された時として工場出荷時を用いている。バックライトオン・タイマー回路１２５は、前回までの使用時間に、今回のバックライトオン・タイマー回路１２５による計時時間を加算することによって新たに使用時間を算出し、算出した使用時間を一時記憶する。【００６９】  バックライトエージング・タイマー回路１２７は、ＬＣＤモニター１１の電源がオンとなってから現在までの時間を計時する。バックライトエージング・タイマー回路１２７は、計時した時間をバックライトエージング・カウント値として一時記憶する。【００７０】  ＵＳＢ回路１２９は、ＰＷＭ値を寿命予測装置２１へ提供する。また、ＵＳＢ回路１２９は、提供部寿命予測装置２１から画像データを受信する。【００７１】  表示出力回路１３１はＬＣＤパネル１３３に表示する画像を生成する。ＬＣＤパネル１３３は、表示出力回路１３１によって生成された画像を表示する。【００７２】２．２．寿命予測装置２１のハードウェア構成
寿命予測装置２１のハードウェア構成を図４に基づいて説明する。寿命予測装置２１は、ＣＰＵ２１１、メモリ２１２、ハードディスク２１３、およびＵＳＢ回路２１８を備えている。また、寿命予測装置２１には、キーボード２１４、マウス２１５、ディスプレイ２１６、およびＣＤ−ＲＯＭドライブ２１７が接続されている。【００７３】  ＣＰＵ２１１は、ハードディスク２１３に記録されているオペレーティング・システム（ＯＳ）、寿命予測プログラム等その他のアプリケーションに基づいた処理を行う。ＣＰＵ２１１は、ＰＷＭ値に基づいて、現在においてバックライト１１３が提供し得る明るさの最大値である最大輝度（Ｌｍ）を算出する。また、ＣＰＵ２１１は、最大輝度（Ｌｍ）に基づいて、バックライト１１３の寿命を予測する。【００７４】  メモリ２１２は、ＣＰＵ２１１に対して作業領域を提供する。ハードディスク２１３は、オペレーティング・システム（ＯＳ）、輝度制御プログラム、および寿命予測プログラム等その他のアプリケーション及び寿命診断ファイル等のデータを記録保持する。なお、ハードディスク２１３に記録される寿命診断ファイル等のデータについては後述する。【００７５】  ＵＳＢ回路２１８は、ＬＣＤモニター１１からＰＷＭ値を獲得する。また、ＵＳＢ回路２１８は、ＬＣＤモニター１１へ画像データを送信する。【００７６】  キーボード２１４、マウス２１５は、外部からの命令を受け付ける。ディスプレイ２１６は、ユーザーインターフェイス等の画像を表示する。ＣＤ−ＲＯＭドライブ２１７は、輝度制御プログラム、寿命予測プログラムが記録されているＣＤ−ＲＯＭ２１０からそれぞれのプログラムおよび他のＣＤ−ＲＯＭからその他のアプリケーションのプログラムを読み取る等、ＣＤ−ＲＯＭからのデータの読み取りを行う。【００７７】３．データ
ＬＣＤモニター１１のメモリ１２３に記憶保持されているデータ及び寿命予測装置２１のハードディスク２１３に記憶保持されているデータについて以下において説明する。【００７８】３．１．傾き情報（ａ）およびＹ切片情報（ｂ）
ＬＣＤモニター１１のメモリ１２３に記憶されている傾き情報及びＹ切片情報について説明する。ここで、ＰＷＭ値とバックライトの明るさ（輝度）との対応関係を図５を用いて説明する。図５は、あるＬＣＤパネル１３３について、実際にＰＷＭ値を変化させたときのＰＷＭ値とバックライトの明るさ（輝度）との対応関係を示したものである。なお、図５に示すように、各ＰＷＭ値に対応するバックライトの輝度は、取得輝度（Ｌｓ）の最大輝度（Ｌｍ）に対する相対値（以下、輝度相対値とする。）としている。ここで、取得輝度（Ｌｓ）とは、実際に光センサ１１５を用いて取得したバックライトの輝度のことをいう。また、最大輝度（Ｌｍ）とは、その時においてバックライト１１３が出力し得る輝度の最大値をいう。【００７９】  図５から明らかなように、ＰＷＭ値の変化に対する輝度相対値の変化は、所定の区間では線形性を有している。この線形性を有している区間において、ＰＷＭ値の変化に対する輝度相対値の変化の割合を示す傾きａ、及びＰＷＭ値と輝度相対値とが線形性を有する区間を全てのＰＷＭ値に拡張した場合のＹ切片の値ｂを算出する。【００８０】  この時のＰＷＭ値と輝度相対値との間の関係式は、【００８１】
【数１】
2007011246.tif 000003
【００８２】  となる。【００８３】  算出した傾きの値を傾き情報（ａ）として、また、Ｙ切片の値をＹ接片情報（ｂ）として、メモリ１２３に記憶しておく。【００８４】  なお、傾き情報およびＹ切片情報は、ＬＣＤパネル１３３毎に異なることから、各ＬＣＤパネル１３３について工場出荷時にＰＷＭ値と輝度相対値との関係を取得し、前述の各値を算出し、ＬＣＤモニター１１のメモリ１２３へ記憶保持しておく。また、工場出荷時においてバックライト１１３が出力し得る最大輝度を初期最大輝度として、メモリ１２３へ記憶保持しておく。【００８５】３．２．寿命診断ファイル
次ぎに、寿命予測装置２１のハードディスク２１３に記憶保持されている寿命診断ファイルについて図６を用いて説明する。寿命診断ファイルとは、ＬＣＤパネル１３３の寿命診断の際に用いるデータが記載されたファイルである。図６に示すように、寿命診断ファイルは、［番号］列、［最大輝度（Ｌｍ）］列、［取得輝度（Ｌｓ）］列、及び［使用時間（Ｔ）］列を有している。最大輝度（Ｌｍ）、取得輝度（Ｌｓ）、及び使用時間（Ｔ）は、セットで記憶され、取得された時間が古いものから順番に寿命診断ファイルへ記載されていく。【００８６】  ［番号］列には、各データが取得された順番が記載されている。「最大輝度（Ｌｍ）」列には、傾き情報、Ｙ切片情報、及び取得輝度（Ｌｓ）を用いて算出された最大輝度（Ｌｍ）の値が記述される。［取得輝度（Ｌｓ）］列には、その時に取得した輝度の値が記述される。［使用時間（Ｔ）］列には、ＬＣＤパネル１３３がこれまで使用されてきた累積時間、つまりバックライトオン・タイマー回路１２５によって計測されメモリ１２３に記憶されている使用時間（Ｔ）が記述される。【００８７】３．３．その他のデータ
ＬＣＤモニター１１のメモリ１２３には、使用時間が記憶保持されている。使用時間とは、工場出荷時に最大輝度ＰＷＭ値をＬＣＤモニター１のメモリ１２３に記憶した後、バックライト１１３を点灯した累積時間をいう。【００８８】  また、バックライトエージング・タイマー回路１２７には、ＬＣＤモニター１１の電源がオン状態にある間、バックライトエージング・カウント値が一時的に記憶保持される。バックライトエージング・カウント値とは、ＬＣＤモニター１１の電源がオンとなってから現在までの時間をいう。【００８９】  さらに、ＬＣＤモニター１１のメモリ１２３には、限界輝度（Ｌｔ）が記憶保持されている。限界輝度（Ｌｔ）とは、ＬＣＤパネル１３３の寿命判断の基準となる値をいう。【００９０】４．寿命予測の概要
本発明に基づくＬＣＤモニタ１１の寿命予測では、バックライト１１３が出力し得る最大輝度が、予め設定された限界輝度（Ｌｔ）に達しなくなることを寿命判断の基準としている。したがって、まず、バックライト１１３のその時点で最大輝度を取得する必要がある。【００９１】  本実施例においては、最大輝度を算出するにあたって、ＰＷＭ値とバックライト１１３の輝度との間の線形性を用いている。つまり、前述の（１）式に基づいて、最大輝度（Ｌｍ）を算出することが可能である。（１）式より、【００９２】
【数２】
2007011246.tif 000004
【００９３】  このように、傾き情報（ａ）、Ｙ切片情報（ｂ）、バックライト１１３のその時点での輝度及びその時のＰＷＭ値を用いることによって、最大輝度の算出が可能である。【００９４】  そして、最大輝度（Ｌｍ）を用いて、いつバックライト１１３が寿命に達するのかを予測するかを算出するにあたっては、レーマンの式を用いる。レーマンの式は、一般的にＬＣＤパネル１３３におけるバックライト１１３の寿命を予測する際に使用される式である。【００９５】  以下にレーマンの式を示す。【００９６】
【数３】
2007011246.tif 000005
【００９７】  ここで、初期最大輝度（Ｌｍ（０））及びレーマン係数（τ）については、以下のようにして算出する。【００９８】  時間的に最も古くに取得した最大輝度（Ｌｍ（１））、使用時間（Ｔ（１））及び時間的に最も近時に取得した最大輝度（Ｌｍ（ｎ））、使用時間（Ｔ（ｎ））をメモリ１２３に記憶している寿命診断ファイルから獲得する。これらの値を（２）式に代入すると、【００９９】
【数４】
2007011246.tif 000006
【０１００】  上記２式より、
限界輝度（Ｌｔ）を（１）式の最大輝度（Ｌｍ）に代入し、Ｌｍ（０）、τを算出する。【０１０１】
【数５】
2007011246.tif 000007
【０１０２】  算出したＬｍ（０）、τを用いて、（１）式をｔについて解く。【０１０３】
【数６】
2007011246.tif 000008
【０１０４】  （３）式に示すｔが、ＬＣＤパネル１３３のバックライト１１３の最大輝度が限界輝度（Ｌｔ）となるまでの使用時間である最大使用時間（Ｔｓ）となる。【０１０５】  したがって、現在から最大使用時間（Ｔｓ）までの時間を示す余命時間は、【０１０６】
【数７】
2007011246.tif 000009
【０１０７】  により算出することができる。【０１０８】５．ＬＣＤモニター１１の動作
５．１．概要
ＬＣＤモニター１のＣＰＵ１２１が行う動作の概要を図７に示すフローチャートに基づいて説明する。ＣＰＵ１２１は、ＬＣＤモニター１の電源がオンになったと判断すると（Ｓ１）、輝度自動補正処理（Ｓ２）、使用時間計測処理（Ｓ３）、エージング処理（Ｓ４）、及びデータ提供処理（Ｓ５）を実行する。また、ＣＰＵ１２１は、ＬＣＤモニター１の電源がオフになったと判断すると（Ｓ８）、終了処理（Ｓ９）を実行する。以下において、輝度自動補正処理（Ｓ２）、使用時間計測処理（Ｓ３）、エージング処理（Ｓ４）、データ提供処理（Ｓ５）、及び終了（Ｓ９）処理を説明する。【０１０９】５．２．輝度補正処理
本実施例における輝度自動補正処理は、特許第３１９３３１５（（株）ナナオ）を利用している。以下において、ＣＰＵ１２１が行う特許第３１９３３１５を本実施例に適用した場合の輝度自動補正処理の概要を図８に示すフローチャートを用いて説明する。【０１１０】  ＣＰＵ１２１は、光センサ１１５から現在の取得輝度（Ｌｓ）を取得する（Ｓ２０１）。次に、ＣＰＵ１２１は、輝度設定部を介してユーザが設定したユーザ設定輝度割合値を取得する（Ｓ２０３）。ユーザ設定輝度割合値とは、ユーザが初期最大輝度に対して何％で使用したいのかを示す値である。ＣＰＵ１２１は、メモリ１２３に記憶保持されている初期最大輝度とユーザ設定輝度割合値をもとに目標輝度を算出する（Ｓ２０５）。【０１１１】  ＣＰＵ１２１は、ステップＳ２０１で取得した取得輝度（Ｌｓ）と目標輝度とを比較する（Ｓ２０７）。ＣＰＵ１２１は、取得輝度（Ｌｓ）と目標輝度とが一致していると判断すると、処理を終了する。一方、ＣＰＵ１２１は、取得輝度（Ｌｓ）と目標輝度とが一致していないと判断すると、光センサ１１５で取得される取得輝度（Ｌｓ）が目標輝度に近づくように、インバータ回路１１１を制御するためのＰＷＭ値を算出する（Ｓ２０９）。そして、ＣＰＵ１２１は、算出したＰＷＭ値をインバータ回路１１１へ出力する（Ｓ２１１）。インバータ回路１１１は、バックライト１１３の明るさを調整して、目標輝度に対応するほぼ一定の光量でバックライト１１３を発光させる。【０１１２】５．３．使用時間計測処理
次に、ＣＰＵ１２１が行う使用時間計測処理を図９に示すフローチャートを用いて説明する。ＣＰＵ１２１は、メモリ１２３から使用時間を取得すると（Ｓ３０１）。ＣＰＵ１２１は、取得した使用時間をバックライトオン・タイマー回路１２５のメモリにセットする（Ｓ３０３）。そして、ＣＰＵ１２１は、バックライトオン・タイマー回路１２５による計時を開始する（Ｓ３０５）。【０１１３】５．４．エージング時間計測処理
次に、ＣＰＵ１２１が行うエージング時間計測処理を図１０に示すフローチャートを用いて説明する。ＣＰＵ１２１は、バックライトエージング・タイマー回路１２７のバックライトエージング・カウント値に「０」をセットする（Ｓ４０１）。そして、ＣＰＵ１２１は、バックライトエージング・タイマー回路１２７による計時を開始する（Ｓ４０３）。【０１１４】５．５．データ提供処理
ＣＰＵ１２１が行うデータ提供処理を図１１に示すフローチャートを用いて説明する。ＣＰＵ１２１は、第１のデータ収集要求を獲得したと判断すると（Ｓ５０１）、バックライトエージング・カウント値を寿命予測装置２１へ提供する（Ｓ５０２）。さらに、ＣＰＵ１２１は、第２のデータ収集要求を獲得したと判断すると（Ｓ５０３）、現在の取得輝度（ＬＳ）、ＰＷＭ値、現在の使用時間（Ｔ）を寿命予測装置２１へ提供する（Ｓ５０４）。【０１１５】  また、ＣＰＵ１２１は、寿命予測要求を獲得氏と判断すると（Ｓ５０５）、限界輝度（Ｌｔ）を寿命予測装置２１へ提供する（Ｓ５０７）。さらに、ＣＰＵ１２１は、寿命予測結果表示要求を獲得したと判断すると（Ｓ５０９）、限界輝度（Ｌｔ）及び書誌事項を寿命予測装置２１へ提供する（Ｓ５１１）。なお、データ収集要求、寿命予測要求、及び寿命予測結果表示要求については後述する。【０１１６】５．６．終了処理
次に、ＣＰＵ１２１が行う終了処理を図１２に示すフローチャートを用いて説明する。ＣＰＵ１２１は、ＬＣＤモニター１の電源がオフになったと判断すると（Ｓ９：図４参照）、バックライトオン・タイマー回路１２５の使用時間をメモリ１２３に保存する（Ｓ９０１）。そして、ＣＰＵ１２１は、ＬＣＤモニター１の電源をオフとする（Ｓ９０３）。【０１１７】６．寿命予測装置２１の動作
６．１．概要
寿命予測装置２１のＣＰＵ２１１が行う動作の概要を図１３に示すフローチャートに基づいて説明する。ＣＰＵ２１１は、輝度チェック命令を獲得したと判断すると（Ｓ１１）、寿命予測データ取得処理（Ｓ１２）を実行する。またＣＰＵ２１１は、寿命予測開始命令を獲得したと判断すると（Ｓ１３）、寿命予測処理（Ｓ１４）を実行する。さらに、ＣＰＵ２１１は、寿命予測結果表示命令を獲得したと判断すると（Ｓ１５）、寿命予測結果表示処理（Ｓ１６）を実行する。また、ＣＰＵ１２１は、その他の命令を獲得したと判断すると、対応する処理（Ｓ１７）を実行する。以下において、寿命予測データ取得処理（Ｓ１２）、寿命予測処理（Ｓ１４）、及び寿命予測結果表示処理（Ｓ１６）を説明する。【０１１８】６．２．寿命予測データ収集処理
ＣＰＵ１２１が寿命予測プログラムに基づいて行う寿命予測データ収集処理を図１４に示すフローチャートを用いて説明する。ＣＰＵ１２１は、輝度チェック命令を取得したと判断すると（Ｓ１１：図１２参照）、ＵＳＢ回路２１８を介して、第１の寿命予測データ収集要求をＬＣＤモニター１１へ送信する（Ｓ１２０３）。第１の寿命予測データ収集要求とは、ＬＣＤモニター１１に対してバックライトエージング・カウント値の送信を要求するものである。【０１１９】  ＣＰＵ２１１は、バックライトエージング・カウント値を獲得したと判断すると（Ｓ１２０５）、バックライトエージング・カウント値が所定の値より大きいか否か、つまり所定時間を経過しているか否かを判断する（Ｓ１２０７）。ＣＰＵ１２１は、バックライトエージング・カウント値が所定の値より小さい、つまり所定の時間を経過していないと判断すると、バックライトの輝度がまだ安定していないと判断し、以降の寿命予測データの取得を行わない。【０１２０】  一方、ＣＰＵ１２１は、バックライトエージング・カウント値が所定の値より大きい、つまり所定の時間を経過していると判断すると、ＬＣＤパネル１３３の画面階調を所定の階調とする（Ｓ１２０９）。本実施例においては、ＲＧＢの各階調を２５５に設定する。【０１２１】  そして、ＣＰＵ２１１は、第２の寿命予測データ収集要求をＬＣＤモニター１１へ送信する（Ｓ１２１１）。第２の寿命予測データ収集要求とは、ＬＣＤモニター１１に対して現在の取得輝度（Ｌｓ）、現在のＰＷＭ値、及び現在の使用時間（Ｔ）の送信を要求するものである。【０１２２】  ＣＰＵ２１１は、現在の取得輝度（Ｌｓ）、現在のＰＷＭ値、及び現在の使用時間（Ｔ）を獲得したと判断すると（Ｓ１２１３）、ハードディスク２１３から傾き情報（ａ）及びＹ切片情報（ｂ）の値を取得する（Ｓ１２１５）。次ぎに、ＣＰＵ１２１は、ステップＳ１２１３で取得した取得輝度（Ｌｓ）、ＰＷＭ値、及びステップＳ１２１５で取得した傾き情報（ａ）及びＹ切片情報（ｂ）の値を用いて、最大輝度の値（Ｌｍ）を算出する（Ｓ１２１７）。【０１２３】  そして、ＣＰＵ１２１は、ステップＳ１２１７で算出した最大輝度の値（Ｌｍ）、ステップＳ１２１３で取得した使用時間（Ｔ）、取得輝度（Ｌｓ）を対応付けて、最新のデータとしてメモリ１２３へ記憶保持されている寿命診断ファイルへ記述する（Ｓ１２１９）。【０１２４】６．３．寿命予測処理
次に、ＣＰＵ１２１が寿命予測プログラムに基づいて行う行う寿命予測処理を図１５に示すフローチャートを用いて説明する。ＣＰＵ１２１は、寿命予測開始命令を取得したと判断すると（Ｓ１３：図１２参照）、ＵＳＢ回路２１８を介して、寿命予測要求をＬＣＤモニター１１へ送信する（Ｓ１４０３）。寿命予測要求とは、ＬＣＤモニター１１に対して寿命予測に必要なデータである限界輝度（Ｌｔ）の送信を要求するものである。【０１２５】  ＣＰＵ２１１は、ＵＳＢ回路２１８を介して、限界輝度（Ｌｔ）を取得したと判断すると（Ｓ１４０５）、寿命診断ファイルから、最も古いデータ（Ｌｍ（１）、Ｌｓ（１）、Ｔ（１））及び最も新しいデータ（Ｌｍ（ｎ）、Ｌｓ（ｎ）、Ｔ（ｎ））を取得する（Ｓ１４０７）。【０１２６】  ＣＰＵ１２１は、ステップＳ１４０７で取得した最も古いデータ（Ｌｍ（１）、Ｌｓ（１）、Ｔ（１））及び最も新しいデータ（Ｌｍ（ｎ）、Ｌｓ（ｎ）、Ｔ（ｎ））に基づいて、初期最大輝度（Ｌｍ（０））及びレーマン係数（τ）の値を算出する（Ｓ１４０９）。なお、算出にあたっては、前述のレーマン式を用いる。【０１２７】  さらに、ＣＰＵ１２１は、ステップＳ１４０９で算出した最大輝度（Ｌｍ（０））、レーマン係数（τ）、及びステップＳ１４０５で取得した限界輝度（Ｌｔ）を用いて、レーマン式に基づき限界輝度（Ｌｔ）となるまでの最大使用時間（Ｔｓ）を算出する（Ｓ１４１４１１）。ＣＰＵ１２１は、ステップＳ１４１１で算出した最大使用時間（Ｔｓ）及びステップＳ１４０５で取得したＴ（ｎ）に基づき、ＬＣＤパネル１３３のバックライト１１３に関する余命時間を算出する（Ｓ１４１３）。なお、上記各データの算出にあたっては、前述のレーマン式を利用する。【０１２８】６．４．寿命予測時間表示処理
次に、ＣＰＵ１２１が行う寿命予測結果表示処理を図１６に示すフローチャートを用いて説明する。ＣＰＵ１２１は、寿命予測結果表示命令を獲得したと判断すると（Ｓ１５：図１２参照）、ＵＳＢ回路２１８を介したＵＳＢ通信により、寿命予測結果表示要求をＬＣＤモニター１１へ送信する（Ｓ１６０３）。寿命予測結果表示要求とは、ＬＣＤモニター１１に対して寿命予測結果を表示するために必要なデータである限界輝度（Ｌｔ）及び書誌事項の送信を要求するものである。ここで、書誌的事項とは、ＬＣＤモニター１１の型番（タイプ）、製造番号等をいう。【０１２９】  ＣＰＵ２１１は、目標輝度（Ｋｔ）及び書誌的事項を獲得したと判断すると（Ｓ１６０５）、メモリ１２３から余命時間を取得する（Ｓ１６０７）。また、ＣＰＵ１２１１は、前回の測定結果を、メモリ１２３に記憶している寿命診断ファイルから取得する（Ｓ１６０９）。そして、ＣＰＵ１２１１は、ＬＥＡ（Ｌｉｆｅ  Ｅｘｐｅｃｔｅｎｃｙ  Ａｎａｌｙｚｏｒ）結果画面を生成する（Ｓ１６１１）。さらに、ＣＰＵ２１１は、生成したＬＥＡ結果画面を表示出力回路１３１を介してＬＣＤモニター１１に送信する（Ｓ１６１３）。【０１３０】  寿命予測結果をＬＣＤパネル１３３に表示したＬＥＡ結果画面の一例を図１７に示す。ＬＥＡ結果画面は、設定値表示領域Ａ１、測定結果表示領域Ａ３、履歴表示領域Ａ５、書誌事項表示領域Ａ７、および寿命グラフ表示領域Ａ９を有している。【０１３１】  設定値表示領域Ａ１には、限界輝度（Ｌｔ）の値が表示される。測定結果表示領域Ａ３には、今回の寿命予測によって算出された余命時間、及びこれまでの使用時間が表示される。履歴表示領域Ａ５には、過去に行った寿命予測の結果が表示される。書誌事項表示領域Ａ７には、寿命予測の実行日、ＬＣＤモニター１のタイプ番号、メーカー名、モデル名、製造番号等の書誌的事項が表示される。【０１３２】  寿命グラフ表示領域Ａ９には、算出したレーマン式に基づく寿命予測曲線が表示される。寿命グラフは、横軸を使用時間、縦軸を輝度（ｃｄ／ｍ２）としてる。また、寿命グラフには、今回及び過去に算出した最大輝度（Ｌｍ）及び取得輝度（Ｌｓ）が表示される。また、レーマンの式に基づく寿命予測は実線で、限界輝度（Ｌｔ）は点線で表示される。【０１３３】  ［その他の実施例］
（１）ハードウェア構成
前述の実施例１においては、ＬＣＤモニター１１及び寿命予測装置２１によって寿命予測システムを構成するとしたが、これに限定されない。例えば、寿命予測装置２１が有する機能を全てＬＣＤモニター１１が有するようにしてもよい。【０１３４】  また、前述の実施例１においては、１つのＬＣＤモニター１１に対して１つの寿命予測装置２１によって、寿命予測システムを構成したが、これに限定されない。例えば、１つの寿命予測装置２１に対して複数のＬＣＤモニター１１を対応させるようにしてもよい。これにより、寿命予測装置２１において、複数のＬＣＤモニター１１の寿命管理が可能となる。【０１３５】（２）取得輝度（Ｌｓ）の取得方法
前述の実施例１においては、取得輝度（Ｌｓ）をＬＣＤパネル３３の外部に設けられた光センサ１１５を介して取得した。しかし、取得輝度（Ｌｓ）を得ることができるのであれば、これに限定されない。例えば、光センサをＬＣＤモニターの内部に設けるようにしてもよい。この場合、光センサは、バックライト１１３の裏側に設けられる。このように、光センサを内部に設けることによって、ユーザに対して、外部に光センサが設けられることによる視認性等の影響をなくすることができる一方、バックライトの輝度を直接得ることができない。そこで、光センサを介して取得したＡＤ値に対して、所定の補正を加えて、取得輝度を算出する。具体的には、特願２００３−３８９９００（（株）ナナオ）の開示された技術を用いればよい。【０１３６】  ＬＣＤモニターがモノクロモニターの場合、実施例１におけるメモリ１２３が記憶保持するデータに加えて、自己補正用輝度データ、自己補正用ＡＤデータ、自己補正用階調データ、及びＬＵＴ（Ｌｏｏｋ  Ｕｐ  Ｔａｂｌｅ）を用いる。自己補正用輝度データとは、ブライトネスが最大（１００％）時におけるＬＣＤパネル３３の表面ほぼ中央部の輝度（ＬＭＨ）及びブライトネスが最小（０％）時におけるＬＣＤパネル３３の表面ほぼ中央部の輝度（ＬＭＬ）をいう。また、自己補正用ＡＤデータとは、ブライトネスが最大（１００％）時における光センサ１１５’の出力値（ＡＤＨ）及びブライトネスが最小（０％）時における光センサ１１５’の出力値（ＡＤＬ）をいう。【０１３７】  自己補正用階調データとは、入力レベル毎にＬＣＤパネル３３を輝度計で輝度測定した結果を、白に相当する輝度で正規化したデータをいう。これにより、白の輝度を基準にＬＣＤパネル３３の中間階調の輝度比を求めることが可能となる。【０１３８】  ＬＵＴとは、入力レベル（階調）と出力レベル（階調）との対応関係を記述したテーブルをいう。【０１３９】  取得輝度（Ｌｓ）の算出は以下のようにして行う。【０１４０】
【数８】
2007011246.tif 000010
【０１４１】  ここで、バックライト輝度とは、最大入力レベルに対して、ＬＵＴが最大と設定している輝度という。また、最大ＬＵＴに相当する自己補正用階調データとは、最大入力レベルに対応する自己補正用階調データをいう。【０１４２】  また、バックライト輝度は以下のようにして、算出する。【０１４３】
【数９】
2007011246.tif 000011
【０１４４】  なお、ＡＤは、取得輝度（Ｌｓ）の算出時に取得した光センサのＡＤ値をいう。【０１４５】  さらに、カラーモニターの場合は、モノクロモニターで使用した各データに加えて、Ｒべた、Ｇべた、Ｂべた輝度の割合を示すデータ（ＲＲ、ＧＲ、ＢＲ）を使用する。なお、ＬＵＴはＲＧＢ各色について用意する。【０１４６】  取得輝度（Ｌｓ）の算出は以下のようにして行う。【０１４７】
【数１０】
2007011246.tif 000012
【０１４８】  なお、バックライト輝度の算出においては、モノクロモニターの場合と同様にして算出する。また、カラーモニターを使用する場合には、色設定温度（例えば、）によって、使用するＬＭＨ、ＬＭＬ、ＡＤＨ、ＡＤＬの値を変更するようにしてもよい。【０１４９】（３）データの収集
前述の実施例１、２においては、ＬＣＤモニター１の電源がオンとなってから、バックライトオン・カウント値が所定の時間を経過するまでは、データ収集を行わないこととした。しかし、ＰＷＭ値等のデータが安定するのであれば、所定の時間が経過する前にデータ収集を行うようにしてもよい。【０１５０】（４）ＰＷＭ値
前述の実施例１においては、ＰＷＭ値を用いてバックライト１１３の寿命予測を行うこととした。しかし、インバータ回路１１１を制御できるものであればこれに限定されない。例えば、バックライト１１３の明るさを一定に制御するためにインバータ回路１１１に与えられる電圧値であってもよい。この場合、電圧値をＰＷＭ値に変換するテーブル等を用意するようにしてもよい。さらに、電圧値により寿命を予測することが可能な関数を用いるようにしてもよい。【０１５１】（５）予測寿命結果の表示
前述の実施例１においては、予測寿命時間を表示するものとしたが、予測寿命時間の表示とともに、もしくは代わって、予測寿命時間に基づくＬＣＤモニターの使用計画を表示するようにしてもよい。例えば、ユーザがＬＣＤモニターを使用する期間を入力することによって、その期間内までＬＣＤモニターを使用するための１日の使用時間等を算出し、表示するようにすればよい。【０１５２】  また、前述の実施例１においては、レーマンの式をグラフとして表示するものとしたが、算出した最大輝度等のデータのみをグラフに表示し、ユーザが表示されたデータ値から寿命曲線を予測できるようにしてもよい。これにより、人間の知識を有効に活用した寿命予測が可能となる。【０１５３】  さらに、グラフに表示したレーマンの式を一部修正できるようにしてもよい。この場合、マウス等によって、表示されたレーマンの式を修正できるようにすればよい。これにより、人間の知識を有効に活用した寿命予測が可能となる。【０１５４】（６）輝度自動補正処理
前述の実施例１においては、輝度自動補正処理を特許第３１９３３１５に基づいて行うものとしたが、輝度自動補正処理を行えるものであればこれに限定されない。
【図面の簡単な説明】
【０１５５】
【図１】本発明における液晶表示装置の機能ブロック図である。
【図２】液晶表示装置の寿命予測システム１のハードウェア構成を示した図である。
【図３】ＬＣＤモニター１１のハードウェア構成を示した図である。
【図４】寿命予測装置２１のハードウェア構成を示した図である。
【図５】ＰＷＭ値とバックライトの明るさ（輝度）との対応関係を示した図である。
【図６】寿命診断ファイルを示した図である。
【図７】ＬＣＤモニター１のＣＰＵ１２１が行う動作の概要を示したフローチャートである。
【図８】輝度自動補正処理を示したフローチャートである。
【図９】使用時間計測処理を示したフローチャートである。
【図１０】エージング時間計測処理を示したフローチャートである。
【図１１】データ提供処理を示したフローチャートである。
【図１２】終了処理を示したフローチャートである。
【図１３】寿命予測装置２１のＣＰＵ２１１が行う動作の概要を示したフローチャートである。
【図１４】寿命予測データ収集処理を示したフローチャートである。
【図１５】寿命予測処理を示したフローチャートである。
【図１６】寿命予測結果表示処理を示したフローチャートである。
【図１７】ＬＥＡ結果画面を示した図である。
【符号の説明】
【０１５６】  Ｍ１・・・・・液晶表示装置の寿命予測システム
Ｍ１１・・・・・液晶表示装置
Ｍ２１・・・・・寿命予測装置Ｍ
ｍ１０・・・・・液晶表示部
ｍ１１・・・・・照明部
ｍ１３・・・・・測定部
ｍ１５・・・・・制御情報生成部
ｍ１７・・・・・照明制御部
ｍ１９・・・・・提供部
ｍ２１・・・・・獲得部
ｍ２３・・・・・最大値算出部
ｍ２５・・・・・寿命予測部
ｍ２７・・・・・寿命予測結果表示部
ｍ２９・・・・・補助記憶部
【図１】
2007011246.tif 000013
【図２】
2007011246.tif 000014
【図３】
2007011246.tif 000015
【図４】
2007011246.tif 000016
【図５】
2007011246.tif 000017
【図６】
2007011246.tif 000018
【図７】
2007011246.tif 000019
【図８】
2007011246.tif 000020
【図９】
2007011246.tif 000021
【図１０】
2007011246.tif 000022
【図１１】
2007011246.tif 000023
【図１２】
2007011246.tif 000024
【図１３】
2007011246.tif 000025
【図１４】
2007011246.tif 000026
【図１５】
2007011246.tif 000027
【図１６】
2007011246.tif 000028
【図１７】
2007011246.tif 000029